(57)【要約】【課題】  画像、音声のチャプターを容易に認識する。【解決手段】  画像データと前記画像データに関連した付加データとを記録媒体から再生する再生手段と、前記再生された付加データに基づいて前記画像データのチャプターを検出するチャプター検出手段と、前記チャプター検出手段の検出結果に基づいて前記再生された画像データの表示形態を変更する制御手段とを備える。【選択図】  図６
2005130363.tif 000002
【特許請求の範囲】
【請求項１】
画像データと前記画像データに関連した付加データとを記録媒体から再生する再生手段と、
前記再生された付加データに基づいて前記画像データのチャプターを検出するチャプター検出手段と、
前記チャプター検出手段の検出結果に基づいて前記再生された画像データの表示形態を変更する制御手段とを備える再生装置。
【請求項２】
前記制御手段は前記チャプターに応じた色の画像を前記再生された画像データに合成する合成手段を有することを特徴とする請求項１記載の再生装置。
【請求項３】
前記合成手段は前記再生された画像データの表示画面の全体に渡って前記チャプターに応じた色の画像を合成することを特徴とする請求項２記載の再生装置。
【請求項４】
前記合成手段は前記再生された画像データの表示画面の一部の領域のみに前記チャプターに応じた色の画像を合成することを特徴とする請求項２記載の再生装置。
【請求項５】
前記画像データはサブバンド符号化されて記録されており、前記合成手段は前記再生された画像データにおけるＬＬ成分に対して前記チャプターに応じた色の画像を合成することを特徴とする請求項２記載の再生装置。
【請求項６】
前記付加情報は前記画像データの記録日時を示す日時情報を含み、前記チャプター検出手段は前記付加データ中の日時情報のに基づいてチャプターを検出することを特徴とする請求項１記載の再生装置。
【請求項７】
前記検出したチャプター毎に表示した色の情報を記憶する記憶手段と、
前記記憶手段に記憶した色情報と前記チャプターとを対応付けて表示する表示手段とを備えたことを特徴とする請求項２記載の再生装置。
【請求項８】
画像データと前記画像データに関連した付加データとを記録媒体から再生する再生手段と、
前記再生された付加データに基づいて前記画像データのチャプターを検出するチャプター検出手段と、
前記チャプター検出手段の検出結果に基づいて所定の音声信号を生成し、スピーカデバイスに出力する制御手段とを備える再生装置。
【請求項９】
前記制御手段は新たなチャプターを検出する度に所定の音声信号を出力することを特徴とする請求項８記載の再生装置。
【発明の詳細な説明】
【技術分野】
【０００１】
本発明は画像信号や音声信号を再生する再生装置に関する。
【背景技術】
【０００２】
従来、ＶＴＲなどの再生装置では、特許文献１に記載の様に、再生中のチャプター番号を表示するため、オンスクリーンディスプレイ回路を使用し、ビデオ信号中に文字フォントをスーパーインポーズすることにより表示していた。
【特許文献１】特開平１１−１２２５７５号公報
【発明の開示】
【発明が解決しようとする課題】
【０００３】
しかしながら、従来の方法では、ユーザーが画面上に表示された文字フォントのチャプター番号を常に目で追いながらサーチしていた。しかし近年、再生装置の技術高度化に伴い、非常に高速なサーチが可能となってきたため、高齢者ユーザーなどにとっては変化する小さな文字フォントを目で監視し続ける事が難しくなり始めている。
【０００４】
本発明は、この問題に鑑み、再生媒体のチャプター切換情報表示を文字フォントによらず、より単純明快に表示する事により、高齢者ユーザー、初心者ユーザーにとって分り易いインターフェースを構築する事が目的である。
【課題を解決するための手段】
【０００５】
本発明によれば、画像データと前記画像データに関連した付加データとを記録媒体から再生する再生手段と、前記再生された付加データに基づいて前記画像データのチャプターを検出するチャプター検出手段と、前記チャプター検出手段の検出結果に基づいて前記再生された画像データの表示形態を変更する制御手段とを備える。
【発明の効果】
【０００６】
再生している画像や音声のチャプターを容易に識別することができる。
【発明を実施するための最良の形態】
【０００７】
以下に本発明に係るチャプター表示機能を有する記録画像再生装置の実施の形態を説明する。
【０００８】
最初に図１を用いて、本発明の第一の実施例を説明する。図１において、１０１はデジタルビデオテープなどの記録媒体、１０２は磁気ヘッドで読出したデジタルビデオテープ上に記録されているデータを増幅する再生アンプ、１０３は読み出したデータをフレーミングし直し、圧縮画像、音声、そして付加データに分類するチャネル復号回路、１８０は１０３のチャネル復号回路で読み出した付加データからチャプターを検出するチャプター検出回路、１０４は１０３のチャネル復号回路で読み出した圧縮画像データを解凍復号する動画像復号回路、１１０は復号された動画像信号のＧ成分をＤＡ変換するＧ成分ＤＡ変換回路、１１１は復号された動画像信号のＲ成分をＤＡ変換するＲ成分ＤＡ変換回路、１１２は復号された動画像信号のＢ成分をＤＡ変換するＢ成分ＤＡ変換回路、１５０は１８０のチャプター検出回路の検出結果を受け、結果に応じたＧ信号を発振するためのＧ信号発振回路、１５１は１８０のチャプター検出回路の検出結果を受け、結果に応じたＲ信号を発振するためのＲ信号発振回路、１５２は１８０のチャプター検出回路の検出結果を受け、結果に応じたＢ信号を発振するためのＢ信号発振回路、１４０は１１０のＧ成分ＤＡ変換回路の出力データと１５０のＧ信号発振回路の出力データをアナログミキシングするＧミキサ、１４１は１１１のＲ成分ＤＡ変換回路の出力データと１５１のＲ信号発振回路の出力データをアナログミキシングするＲミキサ、１４２は１１２のＢ成分ＤＡ変換回路の出力データと１５２のＢ信号発振回路の出力データをアナログミキシングするＢミキサ、１２０は１４０、１４１、１４２のミキサの出力信号を合成し、コンポジット信号を生成するＲＧＢ合成回路、１０５は画像出力端子で、ユーザーはこの出力端子の出力信号を別体のモニタ装置の画像入力端子へ接続する事により映像鑑賞可能な状態にする。
【０００９】
図９にデジタルビデオテープでのテープトラック上の記録位置によって決定付けられているフォーマットを示す。９０１はＩＴＩセクタ、９０２は音声セクタ、９０３は映像セクタ、９０４はサブコードセクタを示す。チャプター情報はデジタルビデオテープの場合、９０４のサブコードセクタに記録される。チャプター情報はソフトテープとユーザーテープでは扱いが異なり、ソフトテープではチャプター開始位置がサブコードセクタに記録されるが、ユーザーテープではＶ・ＡＵＸの録画年月日時分秒、Ａ・ＡＵＸの録画年月日時分秒が記録される。
【００１０】
再生、または特殊再生状態にて、図１、１０３のチャネル復号回路で分類されたサブコードは１８０のチャプター検出回路上で監視され、ソフトテープではチャプター開始位置が、一方、ユーザーテープではＶ・ＡＵＸの録画年月日時分秒、Ａ・ＡＵＸの録画年月日時分秒の連続性が断たれる箇所が検出される。検出された場合その同一トラック上で平行して復号再生している動画像が、チャプターの切り替わり点と判断し、１５０、１５１、１５２のＧＲＢ各色発振回路へ切換スイッチ信号を伝送する。１５０、１５１、１５２のＧＲＢ各色発振回路では、チャプターの切り替わり点で、発振している色信号をトグルさせ、別の色信号へと切り替える。そして、ここで発振させたＧＲＢ各色信号を１４０、１４１、１４２の各ミキサ上で再生動画信号と合成する。
【００１１】
ここで説明した図１の様に回路を構成する事により、再生中または、特殊再生中に、再生映像のチャプターの切り替わりを明確にユーザーに知らしめる事が可能となる。つまり、図４の様に１月１日、１月３日、２月３日、３月３日の合計４日間を使って記録したユーザーテープの場合、図５に示すような再生画像となり、チャプターの切り替わり点（すなわちここでは録画年月日の切り替わり点）を明確に表示できる。ここで、図４のテープ図上で着色されている色と、図５の表示画像図の画面色は同じ色同士で対応しており、１月１日には駅伝大会の画像、１月３日には雪だるまの画像、２月３日には雪山の画像、３月３日には馬の画像を撮影している事を表現している。
【００１２】
つまり、１８０のチャプター検出回路にて、現在再生中のトラックから新しいチャプター開始位置、または新しい録画年月日を検出した場合に、１５０、１５１、１５２のＧＲＢ各色発振回路では、１８０のチャプター検出回路からトグルスイッチ信号を受け取り、現在出力しているＧＲＢ各発振色を切り替える。そして、新しいチャプターが検出されない間は現在発振しているＧＲＢ各発振色を維持しつづける。また、図５に示すように、１５０、１５１、１５２のＧＲＢ各色発振回路からの発振色はチャプター毎に単一色を使っており、それは画面全面にわたって変える事はしない。このように構成する事により、１５０、１５１、１５２のＧＲＢ各色発振回路の構成はもちろんのこと、このチャプター識別機能に要するハード量が大幅に減少する。
【００１３】
この実施例ではユーザーが撮影したデジタルビデオテープを例に挙げたが、市販ソフトテープ、市販パッケージメディアであっても付加データ中にチャプター情報が記録されている媒体であれば、本発明を適応する事によりチャプター別の明快な判別信号を重畳させる事が可能である。この場合、前記したように例えばデジタルビデオビデオテープであれば、ユーザーテープでサブコード中に記録されているＶ・ＡＵＸの録画年月日時分秒、Ａ・ＡＵＸの録画年月日時分秒を利用していた部分を、ソフトテープであればチャプター開始位置を利用するように変更するだけで可能である。
【００１４】
次に図２を用いて、本発明の第二の実施形態を説明する。第二の実施形態ではサブバンド復号回路を搭載した再生回路に本発明を実装した例にて説明する。
【００１５】
図２において、１０１はデジタルビデオテープなどの記録媒体、１０２は磁気ヘッドで読出したデジタルビデオテープ上に記録されているデータを増幅する再生アンプ、１０３は読み出したデータをフレーミングし直し、圧縮画像、音声、そして付加データに分類するチャネル復号回路、１８０は１０３のチャネル復号回路で読み出した付加データからチャプターを検出するチャプター検出回路、１５３は１８０のチャプター検出回路の検出結果を受け、結果に応じた乗数を発振するための発振回路、２００は復号された圧縮画像データのうち、ＬＬサブバンド成分係数データを一時保存するメモリ、２０１は復号された圧縮画像データのうち、ＬＨサブバンド成分係数データを一時保存するメモリ、２０２は復号された圧縮画像データのうち、ＨＬサブバンド成分係数データを一時保存するメモリ、２０３は復号された圧縮画像データのうち、ＨＨサブバンド成分係数データを一時保存するメモリ、２１０は２００のメモリの値に１５３で発振した乗数を乗する乗算器。２２０はＬＬ成分係数に対する垂直方向アップサンプラ、２２１はＬＨ成分係数に対する垂直方向アップサンプラ、２２２はＨＬ成分係数に対する垂直方向アップサンプラ、２２３はＨＨ成分係数に対する垂直方向アップサンプラ、２３０はＬＬ成分用の合成用垂直ローパスフィルタ、２３１はＬＨ成分用の合成用垂直ハイパスフィルタ、２３２はＨＬ成分用の合成用垂直ローパスフィルタ、２３３はＨＨ成分用の合成用垂直ハイパスフィルタ、２４０、２４１は加算器、２５０はＬＬ成分とＬＨ成分用の水平方向アップサンプラ、２５１はＨＬ成分とＨＨ成分用の水平方向アップサンプラ、２６０はＬＬ成分とＬＨ成分用の合成用水平ローパスフィルタ、２６１はＨＬ成分とＨＨ成分用の合成用水平ハイパスフィルタ、２７０は加算器、２８０はデジタルアナログ変換回路、１０５は画像出力端子で、ユーザーはこの出力端子の出力信号を別体のモニタ装置の画像入力端子へ接続する事により映像鑑賞可能な状態にする。
【００１６】
再生、または特殊再生状態にて、図２、１０３のチャネル復号回路で分類されたサブコードは１８０のチャプター検出回路上で監視され、ソフトテープではチャプター開始位置が、一方、ユーザーテープではＶ・ＡＵＸの録画年月日時分秒、Ａ・ＡＵＸの録画年月日時分秒の連続性が断たれる箇所が検出される。検出された場合その同一トラック上で平行して復号再生している動画像が、チャプターの切り替わり点と判断し、１５３の乗数発振回路へ切換スイッチ信号を伝送する。１５３の乗数発振回路では、チャプターの切り替わり点で、発振している乗数をトグルさせ、別の乗数へと切り替える。そして、ここで発振させた乗数を２１０の乗算器上で２００のメモリの値と掛け合わせ合成する。サブバンド符号化された圧縮画像信号データの場合、画面縦方向、横方向とも最も低い周波数成分を符号化した係数に一定の乗数を掛け合わせる事により、第一の実施例で示したアナログ的に一定係数を合成する方法と同じ効果が得られる。
【００１７】
従って、ここで説明した図２の様に回路を構成する事により、再生中または、特殊再生中に、再生映像のチャプターの切り替わりを明確にユーザーに知らしめる事が可能となる。つまり、図４の様に１月１日、１月３日、２月３日、３月３日の合計４日間を使って記録したユーザーテープの場合、図５に示すような再生画像となり、チャプターの切り替わり点（すなわちここでは録画年月日の切り替わり点）を明確に表示できる。ここで、図４のテープ図上で着色されている色と、図５の表示画像図の画面色は同じ色同士で対応しており、１月１日には駅伝大会の画像、１月３日には雪だるまの画像、２月３日には雪山の画像、３月３日には馬の画像を撮影している事を表現している。
【００１８】
つまり、１８０のチャプター検出回路にて、現在再生中のトラックから新しいチャプター開始位置、または新しい録画年月日を検出した場合に、１５３の乗数発振回路は、１８０のチャプター検出回路からトグルスイッチ信号を受け取り、現在出力している発振している乗数を切り替える。そして、ＬＬ成分係数に対し、この一定乗数を掛け合わせる事により、画面全体に一様な色を付加する事ができる。ここで、元の係数ＬＬ、ＬＨ、ＨＬ、ＨＨ成分のうちチャプターマーキングの為の乗数をＬＬ成分のみに乗しているのは、画面一様に同じ色を偏りなく、かつノイジーにならず、安価な構成にて着色させる為である。もちろんハードにより高価な構成が許されている場合は全ての周波数成分に対し、チャプター毎に変化する一定の周波数成分別の乗数を乗じてもよい。
【００１９】
以上説明したように乗数と掛け合わせられたＬＬサブバンド成分係数データとＬＨ、ＨＬ、ＨＨの各サブバンド成分係数データはまず、２２０、２２１、２２２、２２３の垂直方向アップサンプラで係数データ、０、係数データ、０、係数データという具合にゼロデータを挿入して各データ数を倍にする。次に、ＬＬ成分は合成用垂直ローパスフィルタ２３０を、ＬＨ成分は合成用垂直ハイパスフィルタ２３１を、ＨＬ成分は合成用垂直ローパスフィルタ２３２を、ＨＨ成分は合成用垂直ハイパスフィルタ２３３をそれぞれ通過させられた後、２４０、２４１の加算器へ入れられ、まず垂直方向の成分が合成される。次に、２５０、２５１の水平方向アップサンプラで係数データ、０、係数データ、０、係数データという具合にゼロデータを挿入して各データ数を倍にする。次に、ＬＬ、ＬＨ成分は合成用水平ローパスフィルタ２６０を、ＨＬ、ＨＨ成分は合成用水平ハイパスフィルタ２６１をそれぞれ通過させられた後、２７０の加算器へ入れられ、水平方向の成分が合成され補間済みの出力デジタル画像として復元されるので、この画像信号を２８０のＤＡ変換回路でアナログ化し、１０５の画像出力端子上へユーザーが使える形式にして出力する。
【００２０】
この実施例ではユーザーが撮影したデジタルビデオテープを例に挙げたが、市販ソフトテープ、市販パッケージメディアであっても付加データ中にチャプター情報が記録されている媒体であれば、本発明を適応する事によりチャプター別の明快な判別信号を重畳させる事が可能である。この場合、前記したように例えばデジタルビデオビデオテープであれば、ユーザーテープでサブコード中に記録されているＶ・ＡＵＸの録画年月日時分秒、Ａ・ＡＵＸの録画年月日時分秒を利用していた部分を、ソフトテープであればチャプター開始位置を利用するように変更するだけで可能である。
【００２１】
次に図３を用いて、本発明の第三の実施形態を説明する。チャプター表示の方法として第一と第二の実施形態では図５に示すように、表示画面全体を着色する方法で明確化を施してきた。この実施形態では、図６に示すように、表示画面下端のみにチャプター区別を示す帯のみを表示し、記録媒体上の画像全体へはチャプターを区別するための単一色画像を重ねて合成する事はしない。
【００２２】
図３において、１０１はデジタルビデオテープなどの記録媒体、１０２は磁気ヘッドで読出したデジタルビデオテープ上に記録されているデータを増幅する再生アンプ、１０３は読み出したデータをフレーミングし直し、圧縮画像、音声、そして付加データに分類するチャネル復号回路、１８０は１０３のチャネル復号回路で読み出した付加データからチャプターを検出するチャプター検出回路、１０４は１０３のチャネル復号回路で読み出した圧縮画像データを解凍復号する動画像復号回路、１５５は１８０のチャプター検出回路の検出結果を受け、結果に応じたＧ信号を発振するためのＧ信号発振回路、１５６は１８０のチャプター検出回路の検出結果を受け、結果に応じたＲ信号を発振するためのＲ信号発振回路、１５７は１８０のチャプター検出回路の検出結果を受け、結果に応じたＢ信号を発振するためのＢ信号発振回路、１６０はＧ成分データを保存するＧメモリ、１６１はＲ成分データを保存するＲメモリ、１６２はＢ成分データを保存するＢメモリ、１９０は１８０のチャプター検出回路の検出結果を受け、結果に応じた出力イネーブル信号を発振するための書込時間調整回路で１６０、１６１、１６２のメモリへ書き込むデータの種類を調整する、１１０は復号された動画像信号のＧ成分をＤＡ変換するＧ成分ＤＡ変換回路、１１１は復号された動画像信号のＲ成分をＤＡ変換するＲ成分ＤＡ変換回路、１１２は復号された動画像信号のＢ成分をＤＡ変換するＢ成分ＤＡ変換回路、１２０は１１０、１１１、１１２のＤＡ変換回路の出力信号を合成し、コンポジット信号を生成するＲＧＢ合成回路、１０５は画像出力端子で、ユーザーはこの出力端子の出力信号を別体のモニタ装置の画像入力端子へ接続する事により映像鑑賞可能な状態にする。
【００２３】
再生、または特殊再生状態にて、図３、１０３のチャネル復号回路で分類されたサブコードは１８０のチャプター検出回路上で監視され、ソフトテープではチャプター開始位置が、一方、ユーザーテープではＶ・ＡＵＸの録画年月日時分秒、Ａ・ＡＵＸの録画年月日時分秒の連続性が断たれる箇所が検出される。検出された場合その同一トラック上で平行して復号再生している動画像が、チャプターの切り替わり点と判断し、１５５、１５６、１５７のＧＲＢ各色発振回路へ切換スイッチ信号を伝送する。１５５、１５６、１５７のＧＲＢ各色発振回路では、チャプターの切り替わり点で、発振している色信号をトグルさせ、別の色信号へと切り替える。そして、ここで発振させたＧＲＢ各色信号を１６０、１６１、１６２の各メモリ上で再生動画信号と表示画面上でエリア分割し合成する。
【００２４】
つまり、１８０のチャプター検出回路にて、現在再生中のトラックから新しいチャプター開始位置、または新しい録画年月日を検出した場合に、１５５、１５６、１５７のＧＲＢ各色発振回路では、１８０のチャプター検出回路からトグルスイッチ信号を受け取り、現在出力しているＧＲＢ各発振色を切り替える。そして、新しいチャプターが検出されない間は現在発振しているＧＲＢ各発振色を維持しつづける。また、図６に示すように、１５５、１５６、１５７のＧＲＢ各色発振回路からの発振色はチャプター毎に単一色を使っている。このように発振された発振色と１０４の動画像復号回路からの出力画像は１６０、１６１、１６２のメモリへ記録される際にそのメモリへの入力信号線へ出力されるデータを切り替える事によりタイミング調整される。図１０に示すように、１０４の動画像復号回路の出力データイネーブル信号は画面上端から下帯の上端までイネーブルに制御し、下帯の上端から画面下端までの間出力ディセーブルに制御する。逆に１５５、１５６、１５７のＧＲＢ各色発振回路の出力データイネーブル信号は画面上端から下帯の上端までディセーブルに制御し、下帯の上端から画面下端までの間出力イネーブルに制御する。
【００２５】
本発明を第三の実施形態の様に構成する事により、チャプターの切り替わり点が明確に判るだけでなく、そこで再生されている映像も鮮明に確認する事が可能になる。
【００２６】
この実施例ではユーザーが撮影したデジタルビデオテープを例に挙げたが、市販ソフトテープ、市販パッケージメディアであっても付加データ中にチャプター情報が記録されている媒体であれば、本発明を適応する事によりチャプター別の明快な判別信号を重畳させる事が可能である。この場合、前記したように例えばデジタルビデオビデオテープであれば、ユーザーテープでサブコード中に記録されているＶ・ＡＵＸの録画年月日時分秒、Ａ・ＡＵＸの録画年月日時分秒を利用していた部分を、ソフトテープであればチャプター開始位置を利用するように変更するだけで可能である。
【００２７】
次に図８を用いて、本発明の第四の実施形態を説明する。チャプター表示の方法として第一と第二、第三の実施形態では図５、６に示すように、表示画面を着色する方法で明確化を施してきた。この実施形態では、図７に示すように、画面上ではチャプター区別を示す表示はせず、音声を使いチャプター表示を行う。図７ではチャプター区別明示方法を「ピッ」というアラーム音の回数で行っている。新たなチャプターが出現するとアラーム音「ピッ」の発音回数を増やし、このアラーム音を再生音に平行して発音させる事によりチャプター区分を明確にしている。
【００２８】
図８において、１０１はデジタルビデオテープなどの記録媒体、１０２は磁気ヘッドで読出したデジタルビデオテープ上に記録されているデータを増幅する再生アンプ、１０３は読み出したデータをフレーミングし直し、圧縮画像、圧縮音声、そして付加データに分類するチャネル復号回路、１８０は１０３のチャネル復号回路で読み出した付加データからチャプターを検出するチャプター検出回路、１０４は１０３のチャネル復号回路で読み出した圧縮画像データを解凍復号する動画像復号回路、１０６は復号された動画像をＤＡし、同期信号などを付加しモニターで再生可能な信号へ成形するための動画像再生回路、１０５は画像出力端子で、ユーザーはこの出力端子の出力信号を別体のモニタ装置の画像入力端子へ接続する事により映像鑑賞可能な状態にする。１３４は１０３のチャネル復号回路で読み出した圧縮音声データを解凍復号する音声復号回路（デジタルビデオ方式の場合では音声圧縮を施していない為、この回路は不要）、１３６は復号された音声信号をＤＡする音声再生回路、１５９は１８０のチャプター検出回路の検出結果を受け、結果に応じたアラーム音を発振するための音声チャプターマーカ発振回路、１２１は１３６の音声再生回路の出力データと１５９の音声チャプターマーカ発振回路の出力データをアナログミキシングする音声合成回路、１３５は音声出力端子で、ユーザーはこの出力端子の出力信号を別体のスピーカ装置の入力端子へ接続する事により音響鑑賞可能な状態にする。
【００２９】
再生、または特殊再生状態にて、図８、１０３のチャネル復号回路で分類されたサブコードは１８０のチャプター検出回路上で監視され、ソフトテープではチャプター開始位置が、一方、ユーザーテープではＶ・ＡＵＸの録画年月日時分秒、Ａ・ＡＵＸの録画年月日時分秒の連続性が断たれる箇所が検出される。検出された場合その同一トラック上で平行して復号再生している動画像が、チャプターの切り替わり点と判断し、１５９の音声チャプターマーカ発振回路へ切換スイッチ信号を伝送する。１５９の音声チャプターマーカ発振回路では、チャプターの切り替わり点で、発振しているアラーム音信号をトグルさせ、別のアラーム音へと切り替える。そして、ここで発振させたアラーム音を１２１の音声合成回路上で再生音声信号とアナログ的に合成する。
【００３０】
つまり、１８０のチャプター検出回路にて、現在再生中のトラックから新しいチャプター開始位置、または新しい録画年月日を検出した場合に、１５９の音声チャプターマーカ発振回路では、１８０のチャプター検出回路からトグルスイッチ信号を受け取り、現在出力しているアラーム音の発音回数を切り替える。そして、新しいチャプターが検出されない間は現在発振しているアラーム音の発音回数を維持しつづける。
【００３１】
この実施例では記録媒体の再生音とアラーム音をアナログミキシングする方法をとっているが、近年小型のスピーカが非常に安価に入手出来るため、音声回路上でミキシングせず、アラーム音はアラーム音専用のスピーカへ出力したほうが回路的に簡単になる。しかし、そういった回路構成にしても本発明と同一思想になる事は言うまでもない。
【００３２】
この実施例ではユーザーが撮影したデジタルビデオテープを例に挙げたが、市販ソフトテープ、市販パッケージメディアであっても付加データ中にチャプター情報が記録されている媒体であれば、本発明を適応する事によりチャプター別の明快な判別信号を重畳させる事が可能である。この場合、前記したように例えばデジタルビデオビデオテープであれば、ユーザーテープでサブコード中に記録されているＶ・ＡＵＸの録画年月日時分秒、Ａ・ＡＵＸの録画年月日時分秒を利用していた部分を、ソフトテープであればチャプター開始位置を利用するように変更するだけで可能である。
【００３３】
次に図１１を用いて、本発明の第五の実施形態を説明する。チャプター表示の方法として第一と第二、第三の実施形態では図５、６に示すように、表示画面を着色する方法で明確化を施してきた。この実施例では、このように着色した色の種別とチャプターを対応させ、そのデータを再サーチする情報として活用する方法について述べる。
【００３４】
図１１において、１０１はデジタルビデオテープなどの記録媒体、１０２は磁気ヘッドで読出したデジタルビデオテープ上に記録されているデータを増幅する再生アンプ、１０３は読み出したデータをフレーミングし直し、圧縮画像、圧縮音声、そして付加データに分類するチャネル復号回路、１８０は１０３のチャネル復号回路で読み出した付加データからチャプターを検出するチャプター検出回路、１５４は１８０のチャプター検出回路の検出結果を受け、結果に応じたチャプター別表示色を発振するための画像チャプターマーカ発振回路、１０４は１０３のチャネル復号回路で読み出した圧縮画像データを解凍復号する動画像復号回路、１０６は復号された動画像をＤＡし、同期信号などを付加しモニターで再生可能な信号へ成形するための動画像再生回路、１２５は１０６の動画像再生回路の出力データと１５４のチャプターマーカ発振回路の出力データをミキシングする画像合成回路、２９０は１２５の画像合成回路の出力データと３００のＣＰＵからの文字フォントや記号などの出力データをミキシングするオンスクリーンディスプレイ回路、１０５は画像出力端子で、ユーザーはこの出力端子の出力信号を別体のモニタ装置の画像入力端子へ接続する事により映像鑑賞可能な状態にする。３００は再生やサーチでのテープ位置を制御するＣＰＵ、３１０は再生やサーチでのテープ位置をユーザーが指示するための操作キー、３２０はテープ位置をモータ駆動によって直接制御するモータ制御回路である。
【００３５】
再生、または特殊再生状態にて、図１１、１０３のチャネル復号回路で分類されたサブコードは１８０のチャプター検出回路上で監視され、ソフトテープではチャプター開始位置が、一方、ユーザーテープではＶ・ＡＵＸの録画年月日時分秒、Ａ・ＡＵＸの録画年月日時分秒の連続性が断たれる箇所が検出される。検出された場合その同一トラック上で平行して復号再生している動画像が、チャプターの切り替わり点と判断し、１５４のチャプターマーカ発振回路へ切換スイッチ信号を伝送する。１５４のチャプターマーカ発振回路では、チャプターの切り替わり点で、発振している色信号をトグルさせ、別の色信号へと切り替える。そして、ここで発振させたＧＲＢ各色信号を１２５の画像合成回路上で再生動画信号とアナログ的に合成する。
【００３６】
つまりこの第五の実施例のこの部分は第一の実施例と基本的に同じ構成であり、図４の様に１月１日、１月３日、２月３日、３月３日の合計４日間を使って記録したユーザーテープの場合、図５に示すような再生画像となり、チャプターの切り替わり点（すなわちここでは録画年月日の切り替わり点）を明確に表示できる。ここで、図４のテープ図上で着色されている色と、図５の表示画像図の画面色は同じ色同士で対応しており、１月１日には駅伝大会の画像、１月３日には雪だるまの画像、２月３日には雪山の画像、３月３日には馬の画像を撮影している事を表現している。
【００３７】
第五の実施形態では前項の基本的動作に平行して、読み取ったチャプターと着色した色の種別とを対応させ、そのデータを再サーチする情報として活用する。方法はまず、１８０のチャプター検出回路上でチャプター変化点を検知した時点で、３００のＣＰＵへその情報を送り保存する。例えば、ユーザーテープではＶ・ＡＵＸの録画年月日時分秒、Ａ・ＡＵＸの録画年月日時分秒の連続性が断たれた時点で、録画年月日情報をＣＰＵが保存する。同時に１８０のチャプター検出回路は１５４のチャプターマーカ発振回路へ切換スイッチ信号を伝送しているので、１５４のチャプターマーカ発振回路から発振している色信号情報を３００のＣＰＵへ送り保存する。つまり、再生中に新しいチャプターが出現するたびに、３００のＣＰＵは内部メモリへ図１２に示す形体の対応リストを作成する。
【００３８】
保存する色情報は図１２では判り易いようにバー図で示したが、Ｇ−Ｘ％、Ｒ−Ｘ％、Ｂ−Ｘ％という数値へ置き換えて保存した方が良い。次に３００のＣＰＵは内部メモリへ保存してある図１２に示す形体の対応リストを記号と文字フォントで出力し、図１４に示す様に２９０のオンスクリーンディスプレイ回路上で再生画像と合成し、ユーザー向けに表示させる。
【００３９】
この図１４の表示方法のポイントはユーザーが一瞥して判断が可能なように文字だけでなく、チャプターに着色した色のリストもスーパーインポーズしているという事である。ユーザーはモニタ上に表示されたチャプターリストの色を認識し、図１３に示す様な操作キーを動作させる事により、任意チャプターへテープを移動させる。操作キーはチャプター別に着色する色と同一色の操作スイッチを配置し、ユーザーはスーパーインポーズされたモニタ上のチャプター色と同一色の操作キー上のスイッチを押す事により、そのテープ上のチャプター位置へサーチ移動させる。
【００４０】
つまり、ユーザーが３１０の操作キーを操作すると、その操作信号を３００のＣＰＵが読み取り、３２０のモータ制御回路へＣＰＵから発信する事により、そのテープ上チャプター位置へサーチ移動させる。操作キーの色は最初に再生した時に画面全体に合成されていた色と同じであり、４００のスイッチは１月１日記録の駅伝大会の画像へ、４１０のスイッチは１月３日記録の雪だるまの画像へ、４２０のスイッチは２月３日記録の雪山の画像へ、４３０のスイッチは３月３日記録の馬の画像へとサーチ移動する。
【００４１】
尚、この第五の実施形態の様にハードを構成させる為には、１５４のチャプターマーカ発振回路からの発振色が新チャプター出現のたびに、予め、４００、４１０、４２０、４３０の順に変化するようにプログラムされている必要が有り、その発振色制御を３００のＣＰＵで行っても良い。
【００４２】
また、この実施形態では図１２に示すチャプター着色色と録画年月日の対応リストをハードのＣＰＵ内メモリに記録する事により、ユーザーが目的のテープを当該ハードで操作中の場合だけ、この機能を使用できる例を示したが、この図１２のリストをテープ自身のサブコード領域やＭＩＣなどの付加データ領域へ書き戻す事により、他のハードでこのテープを使用した場合にもこのスーパーインポーズによるサーチ機能が使用可能になる。しかし、この場合も本発明の思想と同じ技術である。
【００４３】
また、この実施例ではユーザーが撮影したデジタルビデオテープを例に挙げたが、市販ソフトテープ、市販パッケージメディアであっても付加データ中にチャプター情報が記録されている媒体であれば、本発明を適応する事によりチャプター別の明快な判別信号を重畳させ、その判別信号を再利用する事が可能である。この場合、前記したように例えばデジタルビデオビデオテープであれば、ユーザーテープでサブコード中に記録されているＶ・ＡＵＸの録画年月日時分秒、Ａ・ＡＵＸの録画年月日時分秒を利用していた部分を、ソフトテープであればチャプター開始位置を利用するように変更するだけで可能である。
【図面の簡単な説明】
【００４４】
【図１】第一の実施形態のデジタルＶＴＲの概略構成を示すブロック図である。
【図２】第二の実施形態のデジタルＶＴＲの概略構成を示すブロック図である。
【図３】第三の実施形態のデジタルＶＴＲの概略構成を示すブロック図である。
【図４】デジタルＶＴＲテープ上の記録データ記録日の模式図である。
【図５】第一、第二実施形態のデジタルＶＴＲの特殊再生時表示画像を示す模式図である。
【図６】第三実施形態のデジタルＶＴＲの特殊再生時表示画像を示す模式図である。
【図７】第四実施形態のデジタルＶＴＲの特殊再生時表示画像と平行して再生される音声を示す模式図である。
【図８】第四の実施形態のデジタルＶＴＲの概略構成を示すブロック図である。
【図９】デジタルビデオテープでのテープトラック上の記録位置によって決定付けられているフォーマット模式図である。
【図１０】第三実施例のデジタルＶＴＲの画像メモリ書込制御方法を示した模式図である。
【図１１】第五の実施形態のデジタルＶＴＲの構成を示すブロック図である。
【図１２】チャプターと表示色の対応表である。
【図１３】チャプターの色と操作ボタンの様子を示す図である。
【図１４】再生画面の様子を示す図である。
【図１】
2005130363.tif 000003
【図２】
2005130363.tif 000004
【図３】
2005130363.tif 000005
【図４】
2005130363.tif 000006
【図５】
2005130363.tif 000007
【図６】
2005130363.tif 000008
【図７】
2005130363.tif 000009
【図８】
2005130363.tif 000010
【図９】
2005130363.tif 000011
【図１０】
2005130363.tif 000012
【図１１】
2005130363.tif 000013
【図１２】
2005130363.tif 000014
【図１３】
2005130363.tif 000015
【図１４】
2005130363.tif 000016